(57)【要約】【課題】  室内の美観を損なう恐れを従来より低減することができる空気調和機の室内機を提供する。【解決手段】  空気調和機１の室内機２ａは、ケーシング本体２３と正面パネル５０とを備える。ケーシング本体２３は、室内へと吹き出される空気が通る吹き出し口２６と、室内から取り込まれる空気が通る第１吸い込み口２７とを有する。正面パネル５０は、吹き出し口２６および第１吸い込み口２７の少なくともいずれか１つを開閉する。正面パネル５０の中部５２は、２以上の静止した状態に変化し、第１状態における断面視形状の湾曲度合いが第２状態の断面視形状の湾曲度合いと異なる。【選択図】  図５
2006145105.tif 000002
【特許請求の範囲】
【請求項１】
室内へと吹き出される空気が通る吹き出し口（２６）と、室内から取り込まれる空気が通る吸い込み口（２７）とを有するケーシング（２３）と、
前記吹き出し口（２６）および前記吸い込み口（２７）の少なくともいずれか１つを開閉する正面パネル（５０，６０，９０）と
を備え、
前記正面パネル（５０，６０，９０）の第１部分（５２，７２，９２，９４）は、２以上の静止した状態に変化し、第１状態における断面視形状の湾曲度合いが第２状態の断面視形状の湾曲度合いと異なる、
空気調和機の室内機（２ａ，２ｂ，２ｃ）。
【請求項２】
前記正面パネル（５０，９０）は、１枚のパネル部材から成る、
請求項１に記載の空気調和機の室内機（２ａ，２ｃ）。
【請求項３】
前記第１状態は、前記正面パネル（５０，６０，９０）の開いた状態であり、
前記第１部分（５２，７２，９２，９４）は、前記第１状態においてＳ字形に湾曲する、
請求項１または２に記載の空気調和機の室内機（２ａ，２ｂ，２ｃ）。
【請求項４】
前記第１状態は、前記正面パネル（５０，６０，９０）の開いた状態であり、
前記第１部分（５２，７２，９２，９４）は、前記第１状態においてＵ字形に湾曲する、
請求項１または２に記載の空気調和機の室内機（２ａ，２ｂ，２ｃ）。
【請求項５】
前記第１部分（５２，７２，９２，９４）は、前記正面パネル（５０，６０，９０）のうちの前記第１部分以外の第２部分（５１，５３，７１，７３，９１，９３，９５）よりも可撓性が高い、
請求項１〜４のいずれか１つに記載の空気調和機の室内機（２ａ，２ｂ，２ｃ）。
【請求項６】
前記第１部分（５２，７２，９２，９４）は、前記第２部分（５１，５３，７１，７３，９１，９３，９５）よりも薄い、
請求項５に記載の空気調和機の室内機（２ａ，２ｂ，２ｃ）。
【請求項７】
前記第１部分（５２，７２，９２，９４）は、前記第２部分（５１，５３，７１，７３，９１，９３，９５）と材質が異なる、
請求項５に記載の空気調和機の室内機（２ａ，２ｂ，２ｃ）。
【請求項８】
前記第１部分（５２，７２，９２，９４）は、エラストマーにより形成される、
請求項１〜７のいずれか１つに記載の空気調和機の室内機（２ａ，２ｂ，２ｃ）。
【請求項９】
前記第１部分（５２，７２，９２，９４）は、布状部材により形成される、
請求項１〜７のいずれか１つに記載の空気調和機の室内機（２ａ，２ｂ，２ｃ）。
【請求項１０】
前記第１部分（５２，７２，９２，９４）は、前記第１状態における縦断面視形状の湾曲度合いが第２状態の縦断面視形状の湾曲度合いと異なる、
請求項１〜９のいずれか１つに記載の空気調和機の室内機（２ａ，２ｂ，２ｃ）。
【請求項１１】
前記第１部分（５２，７２，９２，９４）は、前記第１状態における横断面視形状の湾曲度合いが第２状態の横断面視形状の湾曲度合いと異なる、
請求項１〜９のいずれか１つに記載の空気調和機の室内機（２ａ，２ｂ，２ｃ）。
【発明の詳細な説明】
【技術分野】
【０００１】
本発明は空気調和機の室内機に関する。
【背景技術】
【０００２】
近年、室内の空気調和を行う空気調和機がよく利用されている。この空気調和機の室内機は、室内に配置されるため、居住者等の視野に入ることが多い。このため、室内機が室内の美観を損なわないことが重要である。しかし、室内機のケーシングには、室内から取り込まれる空気が通る吸い込み口および室内へと吹き出す空気が通る吹き出し口が設けられることが通常である。室内機は、吸い込み口から室内の空気を取り込み、吹き出し口から調和空気を室内へ吹き出すことにより室内の空気調和を行う。この吸い込み口および吹き出し口は、室内機のケーシングの正面に設けられることが多く、室内の居住者等の目に触れ易い。
【０００３】
一方、上記のような従来の空気調和機の室内機では、吹き出し口を開閉する水平フラップが設けられることが多い（特許文献１参照）。この水平フラップは、室内機の運転時には吹き出し口を開いて、吹き出し口から吹き出される空気を案内する。そして、室内機の運転停止時には、水平フラップが吹き出し口を閉じる。これにより、室内機の運転停止時に吹き出し口が居住者等の視野に入ることが防止され、室内の美観を損なう恐れが低減する。
【０００４】
さらに、上記のような従来の空気調和機の室内機の中には、吸い込み口を開閉するパネルを設けて、空気調和機の運転停止時に吸い込み口を閉じるものも存在する。この室内機の場合、室内機の運転停止時に吸い込み口が居住者等の視野に入ることが防止され、室内の美観を損なう恐れが低減する。
【特許文献１】特許第３３３４６８８号明細書
【発明の開示】
【発明が解決しようとする課題】
【０００５】
しかし、この空気調和機の室内機では、依然として室内の美観が損なわれる恐れがある。すなわち、図１９に示す室内機２００のように、水平フラップ２０１によって吹き出し口２０２が閉じる場合においても、正面視において水平フラップ２０１と吹き出し口２０２との間の継目が現れることが多い。また、吸い込み口を開閉するパネルを設けることによって空気調和機の吸い込み口を閉じる場合においても、正面視において吸い込み口とパネルとの継目が現れることが多い。
【０００６】
本発明の課題は、室内の美観を損なう恐れを従来より低減することができる空気調和機の室内機を提供することにある。
【課題を解決するための手段】
【０００７】
第１発明に係る空気調和機の室内機は、ケーシングと正面パネルとを備える。ケーシングは、室内へと吹き出される空気が通る吹き出し口と、室内から取り込まれる空気が通る吸い込み口とを有する。正面パネルは、吹き出し口および吸い込み口の少なくともいずれか１つを開閉する。正面パネルの第１部分は、２以上の静止した状態に変化し、第１状態における断面視形状の湾曲度合いが第２状態の断面視形状の湾曲度合いと異なる。
【０００８】
この空気調和機の室内機では、正面パネルの第１部分が、２以上の静止した状態に変化し、第１状態における断面視形状の湾曲度合いが第２状態の断面視形状の湾曲度合いと異なる。すなわち、正面パネルは、第１部分の断面視形状の湾曲度合いが異なる静止した状態間を変化することにより、吹き出し口および吸い込み口の少なくともいずれか１つを開閉する。従って、継目が室内機の表面に現れる恐れを低減することができる。これにより、この空気調和機の室内機では、室内の美観を損なう恐れを従来より低減することができる。
【０００９】
なお、第１状態または第２状態において、第１部分の湾曲度合いがゼロ、すなわち、第１部分が全く湾曲していない場合も本発明に含まれる。
第２発明に係る空気調和機の室内機は、第１発明に係る空気調和機の室内機であって、正面パネルは、１枚のパネル部材から成る。
この空気調和機の室内機では、正面パネルが１枚のパネル部材から成る。従って、継目が室内機の表面に現れる恐れをさらに低減することができる。これにより、この空気調和機の室内機では、室内の美観を損なう恐れをさらに低減することができる。
【００１０】
第３発明に係る空気調和機の室内機は、第１発明または第２発明に係る空気調和機の室内機であって、第１状態は、正面パネルの開いた状態であり、第１部分は、第１状態においてＳ字形に湾曲する。
この空気調和機の室内機では、正面パネルの第１部分は、正面パネルの開いた状態においてＳ字形に湾曲する。これにより、室内の美観を向上させることができる。
【００１１】
第４発明に係る空気調和機の室内機は、第１発明または第２発明に係る空気調和機の室内機であって、第１状態は、正面パネルの開いた状態であり、第１部分は、第１状態においてＵ字形に湾曲する。
この空気調和機の室内機では、正面パネルの第１部分は、正面パネルの開いた状態においてＵ字形に湾曲する。これにより、室内の美観を向上させることができる。
【００１２】
第５発明に係る空気調和機の室内機は、第１発明から第４発明のいずれか１つに係る空気調和機の室内機であって、第１部分は、正面パネルのうちの第１部分以外の第２部分よりも可撓性が高い。
この空気調和機の室内機では、正面パネルの第１部分は、正面パネルのうちの第１部分以外の第２部分よりも可撓性が高い。このため、正面パネルの第１部分と第２部分との可撓性の差異を利用することにより、シンプルな機構で正面パネルの第１部分のみを所望の形状に湾曲させることができる。
【００１３】
第６発明に係る空気調和機の室内機は、第５発明に係る空気調和機の室内機であって、第１部分は、第２部分よりも薄い。
この空気調和機の室内機では、正面パネルの第１部分は、正面パネルの第２部分よりも薄い。すなわち、シンプルな構成で第１部分の可撓性を第２部分の可撓性よりも高くすることができる。
【００１４】
第７発明に係る空気調和機の室内機は、第５発明に係る空気調和機の室内機であって、第１部分は、第２部分と材質が異なる。
この空気調和機の室内機では、正面パネルの第１部分は、正面パネルの第２部分と材質が異なる。すなわち、シンプルな構成で第１部分の可撓性を第２部分の可撓性よりも高くすることができる。
【００１５】
第８発明に係る空気調和機の室内機は、第１発明から第７発明のいずれか１つに係る空気調和機の室内機であって、第１部分は、エラストマーにより形成される。
この空気調和機の室内機では、正面パネルの第１部分は、エラストマーにより形成される。このため、ぬくもり感、ソフト感等のエラストマーの有する質感から生まれる意匠価値を提供することができる。
【００１６】
第９発明に係る空気調和機の室内機は、第１発明から第７発明のいずれか１つに係る空気調和機の室内機であって、第１部分は、布状部材により形成される。
この空気調和機の室内機では、正面パネルの第１部分は、布状部材により形成される。このため、ぬくもり感、ソフト感等の布状部材の有する質感から生まれる意匠価値を提供することができる。
【００１７】
第１０発明に係る空気調和機の室内機は、第１発明から第９発明のいずれか１つに係る空気調和機の室内機であって、第１部分は、第１状態における縦断面視形状の湾曲度合いが第２状態の縦断面視形状の湾曲度合いと異なる。
この空気調和機の室内機では、正面パネルの第１部分は、第１状態における縦断面視形状の湾曲度合いが第２状態の縦断面視形状の湾曲度合いと異なる。すなわち、正面パネルが開く際に正面パネルが側面視において湾曲する。
【００１８】
第１１発明に係る空気調和機の室内機は、第１発明から第９発明のいずれか１つに係る空気調和機の室内機であって、第１部分は、第１状態における横断面視形状の湾曲度合いが第２状態の横断面視形状の湾曲度合いと異なる。
この空気調和機の室内機では、正面パネルの第１部分は、第１状態における横断面視形状の湾曲度合いが第２状態の横断面視形状の湾曲度合いと異なる。すなわち、正面パネルが開く際に正面パネルが平面視において湾曲する。
【発明の効果】
【００１９】
第１発明に係る空気調和機の室内機では、正面パネルが第１部分の断面視形状の湾曲度合いが異なる静止した状態間を変化することにより、吹き出し口および吸い込み口の少なくともいずれか１つを開閉する。従って、継目が室内機の表面に現れる恐れを低減することができる。これにより、この空気調和機の室内機では、室内の美観を損なう恐れを従来より低減することができる。
【００２０】
第２発明に係る空気調和機の室内機では、正面パネルが１枚のパネル部材から成る。従って、継目が室内機の表面に現れる恐れをさらに低減することができる。これにより、この空気調和機の室内機では、室内の美観を損なう恐れをさらに低減することができる。
第３発明に係る空気調和機の室内機では、正面パネルの第１部分は、正面パネルの開いた状態においてＳ字形に湾曲する。これにより、室内の美観を向上させることができる。
【００２１】
第４発明に係る空気調和機の室内機では、正面パネルの第１部分は、正面パネルの開いた状態においてＵ字形に湾曲する。これにより、室内の美観を向上させることができる。
第５発明に係る空気調和機の室内機では、正面パネルの第１部分は、正面パネルのうちの第１部分以外の第２部分よりも可撓性が高い。正面パネルの第１部分と第２部分との可撓性の差異を利用することにより、シンプルな機構で正面パネルの第１部分のみを所望の形状に湾曲させることができる。
【００２２】
第６発明に係る空気調和機の室内機では、正面パネルの第１部分は、正面パネルの第２部分よりも薄い。すなわち、シンプルな構成で第１部分の可撓性を第２部分の可撓性よりも高くすることができる。
第７発明に係る空気調和機の室内機では、正面パネルの第１部分は、正面パネルの第２部分と材質が異なる。すなわち、シンプルな構成で第１部分の可撓性を第２部分の可撓性よりも高くすることができる。
【００２３】
第８発明に係る空気調和機の室内機では、正面パネルの第１部分は、エラストマーにより形成される。このため、ぬくもり感、ソフト感等のエラストマーの有する質感から生まれる意匠価値を提供することができる。
第９発明に係る空気調和機の室内機では、正面パネルの第１部分は、布状部材により形成される。このため、ぬくもり感、ソフト感等の布状部材の有する質感から生まれる意匠価値を提供することができる。
【００２４】
第１０発明に係る空気調和機の室内機では、正面パネルの第１部分は、第１状態における縦断面視形状の湾曲度合いが第２状態の縦断面視形状の湾曲度合いと異なるため、側面視において湾曲する正面パネルに適した環境に適応することができる。
第１１発明に係る空気調和機の室内機では、正面パネルの第１部分は、第１状態における横断面視形状の湾曲度合いが第２状態の横断面視形状の湾曲度合いと異なるため、平面視において湾曲する正面パネルに適した環境に適応することができる。
【発明を実施するための最良の形態】
【００２５】
＜第１実施形態＞
〔空気調和機の全体構成〕
図１を参照して、本発明の第１実施形態に係る空気調和機１の構成および冷媒回路の概略を説明する。
この空気調和機１は、室内の壁面等に取り付けられる室内機２ａと、室外に設置される室外機３とを備えている。
【００２６】
この空気調和機１の冷媒回路は、主として室内熱交換器２０、アキュムレータ３１、圧縮機３２、四路切換弁３３、室外熱交換器３０および電動膨張弁３４を備える。
室内機２ａに設けられている室内熱交換器２０は、接触する空気との間で熱交換を行う。また、室内機２ａには、室内空気を吸い込んで室内熱交換器２０に通し熱交換が行われた後の空気を室内に排出するための室内ファン２１が設けられている。室内ファン２１は、室内機２ａ内に設けられる室内ファンモータ２２によって回転駆動される。室内機２ａの詳細な構成および動作については後述する。
【００２７】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００２８】
〔室内機の構成〕
図２〜図５を参照して、室内機２ａの構成を説明する。
室内機２ａは、室内の側壁に設けられる壁掛け型の室内機であり、ケーシング本体２３と正面パネル５０とを備える。
（ケーシング本体）
ケーシング本体２３は、正面視において幅方向に長い長方形の形状を有し、側面視において高さ方向に長い長方形の形状を有する。ケーシング本体２３は、幅Ｗ、高さＨ、奥行きＤを有する。ケーシング本体２３内には、上述した室内熱交換器２０、室内ファン２１、図示しない室内ファンモータ２２等が備えられている。図３に示すように、側面視において、室内ファン２１がケーシング本体２３の中央に配置され、逆Ｖ字型の形状を有する室内熱交換器２０が室内ファン２１の上半分および前方を囲むように配置されている。また、ケーシング本体２３には吸い込み口２５と吹き出し口２６とが設けられている。
【００２９】
吸い込み口２５は、室内ファン２１によって室内からケーシング本体２３内へと取り込まれる空気が通る開口であり、第１吸い込み口２７および第２吸い込み口２８から成る。第１吸い込み口２７は、正面視において幅方向に長い形状を有し、その長さはケーシング本体２３の幅Ｗよりも若干小さい。第１吸い込み口２７は、図３に示すように、ケーシング本体２３の正面に設けられ、室内熱交換器２０の正面側の面と対向している。第２吸い込み口２８は、ケーシング本体２３の幅方向に長い複数のスリットとして設けられており、ケーシング本体２３の天面に設けられている。
【００３０】
吹き出し口２６は、室内ファン２１によって室内熱交換器２０を通り室内へと吹き出される空気が通る開口である。吹き出し口２６は、図４に示すように幅方向に長い形状を有し、その長さはケーシング本体２３の幅Ｗよりも若干小さい。また、吹き出し口２６はケーシング本体２３の下部近傍であって、ケーシング本体２３の正面に設けられている。
また、吹き出し口２６近傍には水平フラップ２９が設けられている。水平フラップ２９は、室内機２ａの幅方向に長い形状を有する板状の部材であり、吹き出し口２６から吹き出される空気を案内する。水平フラップ２９は、室内機２ａの幅方向に平行な回転軸Ｒ１を有しており、図３に示す状態から図５に示す状態へと回転軸Ｒ１を中心に回転することにより、空気の案内方向を変更する。
【００３１】
（正面パネル）
正面パネル５０は、１枚のパネル部材から成り、正面視におけるケーシング本体２３の幅Ｗと略同じ幅と、ケーシング本体２３の高さＨと略同じ高さとを有する。また、正面パネル５０は、運転停止時において、略平坦な面を形成し、正面視において吹き出し口２６および第１吸い込み口２７を覆う。また、正面パネル５０は、移動機構１００により支持されており、運転時において吹き出し口２６および第１吸い込み口２７を開く。
【００３２】
正面パネル５０は、上方から下方に順に並ぶ上部５１、中部５２および下部５３を有する。上部５１と中部５２との境界を境界線（二点鎖線）５４で、中部５２と下部５３との境界を境界線（二点鎖線）５５で示す。中部５２は、正面パネル５０が開いた状態において湾曲する部分であり、上部５１および下部５３は、正面パネル５０が開いた状態においても殆ど湾曲しない部分である。正面パネル５０は、エラストマーにより形成され、ぬくもり感、ソフト感といった質感を演出することができる。また、上部５１、下部５３はそれぞれ、厚さｔ１、厚さｔ３を有し、中部５２は、厚さｔ１および厚さｔ３のいずれよりも薄い厚さｔ２を有する。従って、中部５２は、上部５１および下部５３のいずれよりも可撓性が高くなっている。なお、図２〜図５において、上部５１、中部５２および下部５３が境界線５４および５５により区別されて図示されているが、上部５１、中部５２および下部５３は、同じ材料により一体形成されており、正面視においてそれらの境界を区別することはできない。すなわち、上部５１と中部５２との間および中部５２と下部５３との間に継目は現れない。
【００３３】
移動機構１００は、正面パネル５０の上部５１に固定されたロッド１０１、正面パネル５０の下部５３に固定された図示しない部材、図示しないモーターおよびギア等から構成される。移動機構１００は、図２および図４において波線で示されるが、実際には、正面視において正面パネル５０に隠れているため見えない。この移動機構１００は、正面パネル５０の上部５１を前後に移動させるとともに、その移動にリンクさせて正面パネル５０の下部５３を上下に移動させる。
【００３４】
〔室内機の動作〕
次に、空気調和機１の室内機２ａが空調運転を行う場合の動作について説明する。
室内機２ａが停止している場合、正面パネル５０は、図２および図３のように、吹き出し口２６および第１吸い込み口２７を閉じた状態となっている。このときには、中部５２は、湾曲していない静止した状態にある。
【００３５】
室内機２ａが運転を行う場合、正面パネル５０が移動し、吹き出し口２６および第１吸い込み口２７が開く。これにより、室内機２ａへ取り込まれる空気の風量が確保されると共に、空気の吹き出しが行われる。この場合、図５に示すように、正面パネル５０のうち下部５３が移動機構１００によって上方へと移動する。これにより、吹き出し口２６が開く。また、この下部５３の移動にリンクして、正面パネル５０のうち上部５１が移動機構１００によって前方へ距離ｄ１だけ平行に押し出される。これにより、第１吸い込み口２７が開く。このとき、中部５２の可撓性が上部５１および下部５３の可撓性よりも高いため、中部５２が側面視においてＳ字形に湾曲する。すなわち、室内機２ａが運転を行っているときに、中部５２は、Ｓ字状に湾曲して静止した状態となる。
【００３６】
正面パネル５０が移動して吹き出し口２６および第１吸い込み口２７が開いた後、水平フラップ２９が、設定された運転モードに対応した吹き出し角度となるように回転移動する。
運転時には、以上のように室内機２ａの正面パネル５０が開く。
室内機２ａが運転を停止する場合、正面パネル５０が移動し、室内機２ａは、吹き出し口２６と第１吸い込み口２７とが閉じた状態に戻る。この場合、正面パネル５０のうち上部５１が移動機構１００によって後方へ距離ｄ１だけ平行に押し戻される。これにより、吹き出し口２６が閉じる。また、この上部５１の移動にリンクして、正面パネル５０のうち下部５３が移動機構１００によって下方へと移動する。これにより、吹き出し口２６が閉じる。このとき、運転時にＳ字に湾曲していた中部５２は、略平坦な面に戻る。
【００３７】
運転停止時には、以上のように室内機２ａの正面パネル５０が閉じる。
〔特徴〕
（１）
この空気調和機１の室内機２ａでは、運転停止時において、正面パネル５０が室内機２ａの正面全体を覆う。そして、正面パネル５０は、略平坦な面を形成する。このため、室内機２ａの運転停止時には、正面視において居住者等の視野には略平坦な正面パネル５０のみが現れる。さらに、正面パネル５０が１枚のパネル部材で構成されており、正面視において継目は現れない。このため、この空気調和機１の室内機２ａでは、室内機２ａ単体の正面視における高い美観を確保できるとともに、正面視における室内機２ａの運転停止時の外観と室内の壁面とが調和し、室内の美観が向上する。
【００３８】
（２）
また、従来の室内機には、運転時において、正面パネル５０が複数のパネルに分割され、分割された複数のパネルが独立に移動することにより継目が生じるものがあった。これに対し、空気調和機１の室内機２ａでは、運転時において、正面パネル５０が湾曲し、第１吸い込み口２７および吹き出し口２６を開閉する。すなわち、この空気調和機１の室内機２ａでは、運転時において、継目が現れない。従って、居住者等の視野に、余分な継目に代わって湾曲による滑らかな陰影を写すことができる。このため、この空気調和機１の室内機２ａでは、運転時において美感が向上する。
【００３９】
（３）
この空気調和機１の室内機２ａでは、正面パネル５０にエラストマーが使用される。従って、室内機２ａの正面視において、ぬくもり感、ソフト感等のエラストマーの有する質感から生まれる意匠価値を提供することが可能になっている。
（４）
この空気調和機１の室内機２ａでは、正面パネル５０の中部５２の可撓性は、上部５１および下部５３の可撓性よりも高い。従って、運転時に、下部５３を上方に、上部５１を前方に移動するだけで、中部５２は自然に湾曲する。すなわち、運転時に正面パネル５０を湾曲させるためには、平行移動のような上部５１および下部５３の簡単な移動を行うだけでよい。これにより、正面パネル５０を湾曲させる移動機構１００をシンプルに設計することが可能になっている。
【００４０】
（５）
一般に、壁掛け型の室内機は、室内の壁面に配置されるため、正面部分が居住者等の視野に入り易い。また、室内機の正面部分の面積が大きいことが多い。このため、運転停止時および運転時に正面視における室内の美観が向上する本発明が特に有効である。
（６）
この空気調和機１の室内機２ａでは、運転時において正面パネル５０の上部５１および下部５３が移動することによって、吹き出し口２６および第１吸い込み口２７が開く。このため、室内機２ａへの空気の吸い込みと、室内機２ａからの空気の吹き出しとを十分に行うことが可能になっている。
【００４１】
また、吹き出し口２６と第１吸い込み口２７とが開く際には、正面パネル５０の下部５３が上方に少し移動し、上部５１が前方に少し移動すればよい。このため、運転時における室内機２ａの厚み（図５参照）の増大寸法（距離ｄ１）が小さい。このため、この空気調和機１の室内機２ａでは、運転時の室内機２ａをコンパクトに構成することが可能になっている。
【００４２】
〔変形例〕
第１実施形態の変形例として、正面パネル５０は、運転時において中部５２の湾曲の形状がＵ字形となるように構成されていてもよい。この場合、正面パネル５０は、図６および図７のように湾曲する。
また、第１実施形態の別の変形例として、正面パネル５０が複数のパネルから構成されてもよい。ただし、正面パネル５０を構成するパネルの数が少ないほど正面パネル５０に現れる継目が少なくなるため、正面パネル５０を構成するパネルの数は少ない方が望ましい。また、正面パネル５０を構成する複数のパネルは高さ方向に並んで配置されることが望ましい。これにより、正面視において高さ方向に延びる継目が現れず、一般的に室内の美観が向上する。
【００４３】
＜第２実施形態＞
図８〜図１１を参照して、本発明の第２実施形態に係る空気調和機１の室内機２ｂを説明する。
正面パネル６０は、第１パネル７０および第２パネル８０から成る。第１パネル７０は、第１吸い込み口２７を開閉し、第２パネル８０は、吹き出し口２６を開閉する。第１パネル７０は、正面視におけるケーシング本体２３の幅Ｗと略同じ幅を有し、第２パネル８０は、正面視におけるケーシング本体２３の幅Ｗと略同じ幅を有し、さらに、第１パネル７０の高さＨ１と第２パネル８０の高さＨ２との和が、ケーシング本体２３の高さＨと略同じ高さを有する。
【００４４】
第１パネル７０は、図示しない移動機構１００により支持されており、第１吸い込み口２７を開閉する。第１パネル７０は、１枚のパネル部材から成り、運転停止時において、略平坦な面を形成する。第１パネル７０は、上方から下方に順に並ぶ上部７１、中部７２および下部７３を有する。上部７１と中部７２との境界を境界線（二点鎖線）７４で、中部７２と下部７３との境界を境界線（二点鎖線）７５で示す。中部７２は、第１パネル７０が開いた状態において湾曲する部分であり、上部７１および下部７３は、第１パネル７０が開いた状態においても殆ど湾曲しない部分である。第１パネル７０は、エラストマーにより形成され、ぬくもり感、ソフト感といった質感を演出することができる。また、上部７１、下部７３はそれぞれ、厚さｔ１、厚さｔ３を有し、中部７２は、厚さｔ１および厚さｔ３のいずれよりも薄い厚さｔ２を有する。従って、中部７２は、上部７１および下部７３のいずれよりも可撓性が高くなっている。
【００４５】
第２パネル８０は、図示しない移動機構１００により支持されており、吹き出し口２６を開閉する。第２パネル８０は、１枚のパネル部材から成る。第２パネル８０は、第１パネル７０と同様にエラストマーから形成される。従って、正面視において室内機２ｂの印象が統一されることにより、室内の美観が向上する。
次に、運転時の室内機２ｂが空調運転を行う場合の動作について説明する。
【００４６】
室内機２ｂが停止している場合、第１パネル７０および第２パネル８０は、図８および図９のように吹き出し口２６および第１吸い込み口２７が閉じた状態となっている。このときには、中部７２は、湾曲していない静止した状態にある。
室内機２ｂが運転を行う場合、第１パネル７０および第２パネル８０が移動し、吹き出し口２６および第１吸い込み口２７が開く。これにより、室内機２ｂへ取り込まれる空気の風量が確保されると共に、空気の吹き出しが行われる。この場合、図１１に示すように、第１パネル７０のうち下部７３が図示しない移動機構１００により上方へと移動し、この下部７３の移動にリンクして、第１パネル７０のうち上部７１が図示しない移動機構１００によって前方へ距離ｄ１だけ平行に押し出される。これにより、第１吸い込み口２７が開く。このとき、中部７２の可撓性が上部７１および下部７３の可撓性よりも高いため、中部７２が側面視においてＳ字形に湾曲する。すなわち、室内機２ｂが運転を行っているときに、中部７２は、Ｓ字状に湾曲して静止した状態となる。この第１パネル７０の移動にリンクして、第２パネル８０は、設定された運転モードに対応した吹き出し角度となるように回転移動する。これにより、吹き出し口２６が開く。
【００４７】
室内機２ｂが運転を停止する場合、第１パネル７０および第２パネル８０が移動し、室内機２ｂは、吹き出し口２６および第１吸い込み口２７が閉じた状態に戻る。この場合、第１パネル７０のうちの上部７１が図示しない移動機構１００によって後方へ距離ｄ１だけ押し戻される。また、この上部７１の移動にリンクして、第１パネル７０のうちの下部７３が図示しない移動機構１００によって下方へと移動する。このとき、運転時にＳ字に湾曲していた中部７２は、略平坦な面に戻る。これにより、第１吸い込み口２７が閉じられる。さらに、この第１パネル７０の移動にリンクして、第２パネル８０が回転移動し、吹き出し口２６が閉じられる。
【００４８】
他の構成および動作については第１実施形態に係る室内機２ａと同様である。
〔特徴〕
この空気調和機１の室内機２ｂでは、第１吸い込み口２７を開閉させる第１パネル７０と、吹き出し口２６を開閉させる第２パネル８０とが独立に移動する。このため、第１吸い込み口２７および吹き出し口２６の開閉の状態を独立させることが可能である。
【００４９】
〔変形例〕
第２実施形態の変形例として、正面パネル６０は、第１パネル７０および第２パネル８０以外のさらなるパネルを有するように構成されてもよい。ただし、正面パネル６０を構成するパネルの数が少ないほど正面パネル６０に現れる継目が少なくなるため、正面パネル６０を構成するパネルの数は少ない方が望ましい。また、正面パネル６０を構成する複数のパネルは高さ方向に並んで配置されることが望ましい。これにより、正面視において高さ方向に延びる継目が現れず、室内の美観が向上する。
【００５０】
また、第２実施形態の別の変形例として、第２パネル８０は、第１パネル７０と異なる材料により形成されてもよい。
＜第３実施形態＞
図１２〜図１５を参照して、本発明の第３実施形態に係る空気調和機１の室内機２ｃを説明する。
【００５１】
正面パネル９０は、１枚のパネル部材から成り、正面視におけるケーシング本体２３の幅Ｗと略同じ幅と、ケーシング本体２３の高さＨと略同じ高さとを有する。ケーシング本体２３に設けられた第１吸い込み口２７および吹き出し口２６は、図１２において波線で示されるが、実際には、正面視において正面パネル９０に隠れているため見えない。また、ケーシング本体２３に設けられた第１吸い込み口２７および吹き出し口２６は、ほぼ同じ幅Ｗ１を有する。また、正面パネル９０は、運転停止時において、略平坦な面を形成し、正面視において吹き出し口２６および第１吸い込み口２７を覆う。また、正面パネル９０は、図示しない移動機構１００により支持されており、運転時において吹き出し口２６および第１吸い込み口２７を開く。
【００５２】
正面パネル９０は、左から右に順に並ぶ最左部９１、左部９２、中部９３、右部９４および最右部９５を有する。最左部９１と左部９２との境界を境界線（二点鎖線）９６で、左部９２と中部９３との境界を境界線（二点鎖線）９７で、中部９３と右部９４との境界を境界線（二点鎖線）９８で、右部９４と最右部９５との境界を境界線（二点鎖線）９９で示す。中部９３は、第１吸い込み口２７および吹き出し口２６の幅Ｗ１と略同じ幅を有し、運転停止時において第１吸い込み口２７および吹き出し口２６を覆う。図１５を参照して、左部９２および右部９４は、正面パネル９０が開いた状態において湾曲する部分であり、最左部９１、中部９３および最右部９５は、正面パネル９０が開いた状態においても殆ど湾曲しない部分である。正面パネル９０は、エラストマーにより形成され、ぬくもり感、ソフト感といった質感を演出することができる。また、最左部９１、中部９３、最右部９５はそれぞれ、厚さｔ１、厚さｔ３、厚さｔ５を有し、左部９２、右部９４はそれぞれ、厚さｔ１、厚さｔ３および厚さｔ５のいずれよりも薄い厚さｔ２、厚さｔ４を有する。従って、左部９２および右部９４は、最左部９１、中部９３および最右部９５のいずれよりも可撓性が高くなっている。
【００５３】
次に、空気調和機１の室内機２ｃが空調運転を行う場合の動作について説明する。
室内機２ｃが停止している場合、正面パネル９０は、図１２および図１３のように吹き出し口２６および第１吸い込み口２７を閉じた状態となっている。このときには、左部９２および右部９４は、湾曲していない静止した状態にある。
室内機２ｃが運転を行う場合、正面パネル９０が移動し、吹き出し口２６および第１吸い込み口２７が開く。これにより、室内機２ｃへ取り込まれる空気の風量が確保されると共に、空気の吹き出しが行われる。この場合、正面パネル９０の最左部９１と左部９２との境界線９６が第１吸い込み口２７または吹き出し口２６の左の境界線に近づくように、最左部９１が右に平行移動する。一方、正面パネル９０の右部９４と最右部９５との境界線９９が第１吸い込み口２７および吹き出し口２６の右の境界線に近づくように、最右部９５が左に平行移動する。この最左部９１および最右部９５の移動に伴い、中部９３が前方に距離ｄ１だけ平行移動する。これにより、第１吸い込み口２７および吹き出し口２６が開く。このとき、左部９２および右部９４の可撓性が最左部９１、中部９３および最右部９５の可撓性よりも高いため、左部９２および右部９４が平面視においてＳ字形に湾曲する。すなわち、室内機２ｃが運転を行っているときに、左部９２および右部９４は、Ｓ字状に湾曲して静止した状態となる。
【００５４】
以上のように、室内機２ｃの運転が行われる。
室内機２ｃが運転を停止する場合、正面パネル９０が移動し、図１２および図１３のように、吹き出し口２６と第１吸い込み口２７とが閉じた状態に戻る。この場合、正面パネル９０の最左部９１と左部９２との境界線９６が第１吸い込み口２７または吹き出し口２６の左の境界線から離れるように、最左部９１が左に平行移動する。さらに、正面パネル９０の右部９４と最右部９５との境界線９９が第１吸い込み口２７および吹き出し口２６の右の境界線から離れるように、最右部９５が右に平行移動する。この最左部９１および最右部９５の移動に伴い、中部９３が後方に距離ｄ１だけ平行移動する。これにより、吹き出し口２６および第１吸い込み口２７が閉じる。
【００５５】
他の構成および動作については第１実施形態に係る室内機２ａと同様である。
〔特徴〕
この空気調和機１の室内機２ｃでは、正面パネル９０は、運転時において平面視において湾曲する。すなわち、この空気調和機１の室内機２ｃでは、正面パネル９０は、平面視において湾曲する正面パネルに適した環境に適応することができる。
【００５６】
〔変形例〕
第３実施形態の変形例として、正面パネル９０は、複数のパネルから構成されてもよい。ただし、正面パネル９０を構成するパネルの数が少ないほど正面パネル９０に現れる継目が少なくなるため、正面パネル９０を構成するパネルの数は少ない方が望ましい。また、正面パネル９０を構成する複数のパネルは幅方向に並んで配置されることが望ましい。これにより、正面視において高さ方向に延びる継目が低減し、室内の美観が向上する。
＜その他の実施形態＞
（Ａ）
第１、第２および第３実施形態では、正面パネル５０，６０，９０にエラストマーが用いられているが、正面パネル５０，６０，９０に布状部材を用いることによってぬくもり感、ソフト感といった質感を演出してもよい。また、クールな印象を与えたい場合には、正面パネル５０，６０，９０に金属を用いてもよい。正面パネル５０，６０，９０は、正面パネル５０，６０，９０の開いた状態において湾曲する部分５２，７２，９２，９４が適切に湾曲することができる任意の材料により形成することができる。
（Ｂ）
正面パネル５０，６０，９０の開いた状態において湾曲する部分５２，７２，９２，９４と開いた状態において殆ど湾曲しない部分５１，５３，７１，７３，９１，９３，９５とに異なる材料を使用することにより、開いた状態において湾曲する部分５２，７２，９２，９４と開いた状態においても殆ど湾曲しない部分５１，５３，７１，７３，９１，９３，９５とに可撓性の違いを設けてもよい。
（Ｃ）
運転停止時においてケーシング本体２３の正面および正面パネル５０，６０，９０が略平坦な面を形成せず、図１６〜図１８に示すように緩やかに湾曲した形状であってもよい。
【産業上の利用可能性】
【００５７】
本発明は、室内の美観を損なう恐れを従来より低減することができるという効果を有し、空気調和機の室内機として有用である。
【図面の簡単な説明】
【００５８】
【図１】第１実施形態に係る空気調和機の構成および冷媒回路の構成を表す図。
【図２】第１実施形態に係る室内機の運転停止時の正面図。
【図３】図２のIII-III断面図。
【図４】第１実施形態に係る室内機の運転時の正面図。
【図５】図４のV-V断面図。
【図６】第１実施形態に係る室内機の変形例の運転停止時の縦断面図。
【図７】第１実施形態に係る室内機の変形例の運転時の縦断面図。
【図８】第２実施形態に係る室内機の運転停止時の正面図。
【図９】図８のIX-IX断面図。
【図１０】第２実施形態に係る室内機の運転時の正面図。
【図１１】図１０のXI-XI断面図。
【図１２】第３実施形態に係る正面パネルの運転停止時の正面図。
【図１３】図１２のXIII-XIII断面図。
【図１４】第３実施形態に係る正面パネルの運転時の正面図。
【図１５】図１４のXV-XV断面図。
【図１６】他の実施形態に係る室内機の運転停止時の縦断面図。
【図１７】他の実施形態に係る室内機の運転停止時の縦断面図。
【図１８】他の実施形態に係る正面パネルの運転停止時の横断面図。
【図１９】従来の空気調和機の室内機の正面図。
【符号の説明】
【００５９】
２ａ，２ｂ，２ｃ                空気調和機の室内機
２３                            ケーシング
２６                            吹き出し口
２７                            第１吸い込み口
５０，６０，９０                正面パネル
５１                            上部（第２部分）
５２                            中部（第１部分）
５３                            下部（第２部分）
７１                            上部（第２部分）
７２                            中部（第１部分）
７３                            下部（第２部分）
９１                            最左部（第２部分）
９２                            左部（第１部分）
９３                            中部（第２部分）
９４                            右部（第１部分）
９５                            最右部（第２部分）
【図１】
2006145105.tif 000003
【図２】
2006145105.tif 000004
【図３】
2006145105.tif 000005
【図４】
2006145105.tif 000006
【図５】
2006145105.tif 000007
【図６】
2006145105.tif 000008
【図７】
2006145105.tif 000009
【図８】
2006145105.tif 000010
【図９】
2006145105.tif 000011
【図１０】
2006145105.tif 000012
【図１１】
2006145105.tif 000013
【図１２】
2006145105.tif 000014
【図１３】
2006145105.tif 000015
【図１４】
2006145105.tif 000016
【図１５】
2006145105.tif 000017
【図１６】
2006145105.tif 000018
【図１７】
2006145105.tif 000019
【図１８】
2006145105.tif 000020
【図１９】
2006145105.tif 000021
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
室内へと吹き出される空気が通る吹き出し口（２６）と、室内から取り込まれる空気が通る吸い込み口（２７）とを有するケーシング（２３）と、
１枚のパネル部材から成り、前記吹き出し口（２６）および前記吸い込み口（２７）の少なくともいずれか１つを開閉する開閉パネル（５０，７０，９０）と
を備え、
前記開閉パネル（５０，７０，９０）の可撓性を有する第１部分（５２，７２，９２，９４）は、２以上の静止した状態に変化し、第１状態における断面視形状の湾曲度合いが第２状態の断面視形状の湾曲度合いと異なる、
空気調和機の室内機（２ａ，２ｂ，２ｃ）。
【請求項２】
前記第１部分は、前記第１状態において略平坦な面又は緩やかに湾曲した面を形成する、
請求項１に記載の空気調和機の室内機（２ａ，２ｂ，２ｃ）。
【請求項３】
前記第１状態は、前記開閉パネル（５０，７０，９０）の開いた状態であり、
前記第１部分（５２，７２，９２，９４）は、前記第１状態においてＳ字形に湾曲する、
請求項１または２に記載の空気調和機の室内機（２ａ，２ｂ，２ｃ）。
【請求項４】
前記第１状態は、前記開閉パネル（５０，７０，９０）の開いた状態であり、
前記第１部分（５２，７２，９２，９４）は、前記第１状態においてＵ字形に湾曲する、
請求項１または２に記載の空気調和機の室内機（２ａ，２ｂ，２ｃ）。
【請求項５】
前記第１部分（５２，７２，９２，９４）は、前記開閉パネル（５０，７０，９０）のうちの前記第１部分以外の第２部分（５１，５３，７１，７３，９１，９３，９５）よりも可撓性が高い、
請求項１〜４のいずれか１つに記載の空気調和機の室内機（２ａ，２ｂ，２ｃ）。
【請求項６】
前記第１部分（５２，７２，９２，９４）は、前記第２部分（５１，５３，７１，７３，９１，９３，９５）よりも薄い、
請求項５に記載の空気調和機の室内機（２ａ，２ｂ，２ｃ）。
【請求項７】
前記第１部分（５２，７２，９２，９４）は、前記第２部分（５１，５３，７１，７３，９１，９３，９５）と材質が異なる、
請求項５に記載の空気調和機の室内機（２ａ，２ｂ，２ｃ）。
【請求項８】
前記第１部分（５２，７２，９２，９４）は、エラストマーにより形成される、
請求項１〜７のいずれか１つに記載の空気調和機の室内機（２ａ，２ｂ，２ｃ）。
【請求項９】
前記第１部分（５２，７２，９２，９４）は、布状部材により形成される、
請求項１〜７のいずれか１つに記載の空気調和機の室内機（２ａ，２ｂ，２ｃ）。
【請求項１０】
前記第１部分（５２，７２，９２，９４）は、前記第１状態における縦断面視形状の湾曲度合いが第２状態の縦断面視形状の湾曲度合いと異なる、
請求項１〜９のいずれか１つに記載の空気調和機の室内機（２ａ，２ｂ，２ｃ）。
【請求項１１】
前記第１部分（５２，７２，９２，９４）は、前記第１状態における横断面視形状の湾曲度合いが第２状態の横断面視形状の湾曲度合いと異なる、
請求項１〜９のいずれか１つに記載の空気調和機の室内機（２ａ，２ｂ，２ｃ）。
【手続補正２】
【補正対象書類名】明細書
【補正対象項目名】全文
【補正方法】変更
【補正の内容】
【発明の詳細な説明】
【技術分野】
【０００１】
本発明は空気調和機の室内機に関する。
【背景技術】
【０００２】
近年、室内の空気調和を行う空気調和機がよく利用されている。この空気調和機の室内機は、室内に配置されるため、居住者等の視野に入ることが多い。このため、室内機が室内の美観を損なわないことが重要である。しかし、室内機のケーシングには、室内から取り込まれる空気が通る吸い込み口および室内へと吹き出す空気が通る吹き出し口が設けられることが通常である。室内機は、吸い込み口から室内の空気を取り込み、吹き出し口から調和空気を室内へ吹き出すことにより室内の空気調和を行う。この吸い込み口および吹き出し口は、室内機のケーシングの正面に設けられることが多く、室内の居住者等の目に触れ易い。
【０００３】
一方、上記のような従来の空気調和機の室内機では、吹き出し口を開閉する水平フラップが設けられることが多い（特許文献１参照）。この水平フラップは、室内機の運転時には吹き出し口を開いて、吹き出し口から吹き出される空気を案内する。そして、室内機の運転停止時には、水平フラップが吹き出し口を閉じる。これにより、室内機の運転停止時に吹き出し口が居住者等の視野に入ることが防止され、室内の美観を損なう恐れが低減する。
【０００４】
さらに、上記のような従来の空気調和機の室内機の中には、吸い込み口を開閉するパネルを設けて、空気調和機の運転停止時に吸い込み口を閉じるものも存在する。この室内機の場合、室内機の運転停止時に吸い込み口が居住者等の視野に入ることが防止され、室内の美観を損なう恐れが低減する。
【特許文献１】特許第３３３４６８８号明細書
【発明の開示】
【発明が解決しようとする課題】
【０００５】
しかし、この空気調和機の室内機では、依然として室内の美観が損なわれる恐れがある。すなわち、図１９に示す室内機２００のように、水平フラップ２０１によって吹き出し口２０２が閉じる場合においても、正面視において水平フラップ２０１と吹き出し口２０２との間の継目が現れることが多い。また、吸い込み口を開閉するパネルを設けることによって空気調和機の吸い込み口を閉じる場合においても、正面視において吸い込み口とパネルとの継目が現れることが多い。
【０００６】
本発明の課題は、室内の美観を損なう恐れを従来より低減することができる空気調和機の室内機を提供することにある。
【課題を解決するための手段】
【０００７】
第１発明に係る空気調和機の室内機は、ケーシングと開閉パネルとを備える。ケーシングは、室内へと吹き出される空気が通る吹き出し口と、室内から取り込まれる空気が通る吸い込み口とを有する。開閉パネルは、１枚のパネル部材から成り、吹き出し口および吸い込み口の少なくともいずれか１つを開閉する。開閉パネルの第１部分は、２以上の静止した状態に変化し、第１状態における断面視形状の湾曲度合いが第２状態の断面視形状の湾曲度合いと異なる。第１部分は、可撓性を有する。
【０００８】
この空気調和機の室内機では、１枚のパネル部材から成る開閉パネルの第１部分が、２以上の静止した状態に変化し、第１状態における断面視形状の湾曲度合いが第２状態の断面視形状の湾曲度合いと異なる。すなわち、開閉パネルは、第１部分の断面視形状の湾曲度合いが異なる静止した状態間を変化することにより、吹き出し口および吸い込み口の少なくともいずれか１つを開閉する。従って、継目が室内機の表面に現れる恐れを低減することができる。これにより、この空気調和機の室内機では、室内の美観を損なう恐れを従来より低減することができる。
【０００９】
なお、第１状態または第２状態において、第１部分の湾曲度合いがゼロ、すなわち、第１部分が全く湾曲していない場合も本発明に含まれる。
【００１０】
第２発明に係る空気調和機の室内機は、第１発明に係る空気調和機の室内機であって、第１部分は、第１状態において略平坦な面又は緩やかに湾曲した面を形成する。
【００１１】
この空気調和機の室内機では、開閉パネルの第１部分が第１状態において略平坦な面又は緩やかに湾曲した面を形成する。これにより、この空気調和機の室内機では、室内の美観を損なう恐れをさらに低減することができる。
【００１２】
第３発明に係る空気調和機の室内機は、第１発明または第２発明に係る空気調和機の室内機であって、第１状態は、開閉パネルの開いた状態であり、第１部分は、第１状態においてＳ字形に湾曲する。
【００１３】
この空気調和機の室内機では、開閉パネルの第１部分は、開閉パネルの開いた状態においてＳ字形に湾曲する。これにより、室内の美観を向上させることができる。
【００１４】
第４発明に係る空気調和機の室内機は、第１発明または第２発明に係る空気調和機の室内機であって、第１状態は、開閉パネルの開いた状態であり、第１部分は、第１状態においてＵ字形に湾曲する。
【００１５】
この空気調和機の室内機では、開閉パネルの第１部分は、開閉パネルの開いた状態においてＵ字形に湾曲する。これにより、室内の美観を向上させることができる。
【００１６】
第５発明に係る空気調和機の室内機は、第１発明から第４発明のいずれか１つに係る空気調和機の室内機であって、第１部分は、開閉パネルのうちの第１部分以外の第２部分よりも可撓性が高い。
【００１７】
この空気調和機の室内機では、開閉パネルの第１部分は、開閉パネルのうちの第１部分以外の第２部分よりも可撓性が高い。このため、開閉パネルの第１部分と第２部分との可撓性の差異を利用することにより、シンプルな機構で開閉パネルの第１部分のみを所望の形状に湾曲させることができる。
【００１８】
第６発明に係る空気調和機の室内機は、第５発明に係る空気調和機の室内機であって、第１部分は、第２部分よりも薄い。
【００１９】
この空気調和機の室内機では、開閉パネルの第１部分は、開閉パネルの第２部分よりも薄い。すなわち、シンプルな構成で第１部分の可撓性を第２部分の可撓性よりも高くすることができる。
【００２０】
第７発明に係る空気調和機の室内機は、第５発明に係る空気調和機の室内機であって、第１部分は、第２部分と材質が異なる。
【００２１】
この空気調和機の室内機では、開閉パネルの第１部分は、開閉パネルの第２部分と材質が異なる。すなわち、シンプルな構成で第１部分の可撓性を第２部分の可撓性よりも高くすることができる。
【００２２】
第８発明に係る空気調和機の室内機は、第１発明から第７発明のいずれか１つに係る空気調和機の室内機であって、第１部分は、エラストマーにより形成される。
【００２３】
この空気調和機の室内機では、開閉パネルの第１部分は、エラストマーにより形成される。このため、ぬくもり感、ソフト感等のエラストマーの有する質感から生まれる意匠価値を提供することができる。
【００２４】
第９発明に係る空気調和機の室内機は、第１発明から第７発明のいずれか１つに係る空気調和機の室内機であって、第１部分は、布状部材により形成される。
【００２５】
この空気調和機の室内機では、開閉パネルの第１部分は、布状部材により形成される。このため、ぬくもり感、ソフト感等の布状部材の有する質感から生まれる意匠価値を提供することができる。
【００２６】
第１０発明に係る空気調和機の室内機は、第１発明から第９発明のいずれか１つに係る空気調和機の室内機であって、第１部分は、第１状態における縦断面視形状の湾曲度合いが第２状態の縦断面視形状の湾曲度合いと異なる。
【００２７】
この空気調和機の室内機では、開閉パネルの第１部分は、第１状態における縦断面視形状の湾曲度合いが第２状態の縦断面視形状の湾曲度合いと異なる。すなわち、開閉パネルが開く際に開閉パネルが側面視において湾曲する。
【００２８】
第１１発明に係る空気調和機の室内機は、第１発明から第９発明のいずれか１つに係る空気調和機の室内機であって、第１部分は、第１状態における横断面視形状の湾曲度合いが第２状態の横断面視形状の湾曲度合いと異なる。
【００２９】
この空気調和機の室内機では、開閉パネルの第１部分は、第１状態における横断面視形状の湾曲度合いが第２状態の横断面視形状の湾曲度合いと異なる。すなわち、開閉パネルが開く際に開閉パネルが平面視において湾曲する。
【発明の効果】
【００３０】
第１発明に係る空気調和機の室内機では、開閉パネルが第１部分の断面視形状の湾曲度合いが異なる静止した状態間を変化することにより、吹き出し口および吸い込み口の少なくともいずれか１つを開閉する。従って、継目が室内機の表面に現れる恐れを低減することができる。これにより、この空気調和機の室内機では、室内の美観を損なう恐れを従来より低減することができる。
【００３１】
第２発明に係る空気調和機の室内機では、開閉パネルが１枚のパネル部材から成る。従って、継目が室内機の表面に現れる恐れをさらに低減することができる。これにより、この空気調和機の室内機では、室内の美観を損なう恐れをさらに低減することができる。
【００３２】
第３発明に係る空気調和機の室内機では、開閉パネルの第１部分は、開閉パネルの開いた状態においてＳ字形に湾曲する。これにより、室内の美観を向上させることができる。
【００３３】
第４発明に係る空気調和機の室内機では、開閉パネルの第１部分は、開閉パネルの開いた状態においてＵ字形に湾曲する。これにより、室内の美観を向上させることができる。
【００３４】
第５発明に係る空気調和機の室内機では、開閉パネルの第１部分は、開閉パネルのうちの第１部分以外の第２部分よりも可撓性が高い。開閉パネルの第１部分と第２部分との可撓性の差異を利用することにより、シンプルな機構で開閉パネルの第１部分のみを所望の形状に湾曲させることができる。
【００３５】
第６発明に係る空気調和機の室内機では、開閉パネルの第１部分は、開閉パネルの第２部分よりも薄い。すなわち、シンプルな構成で第１部分の可撓性を第２部分の可撓性よりも高くすることができる。
【００３６】
第７発明に係る空気調和機の室内機では、開閉パネルの第１部分は、開閉パネルの第２部分と材質が異なる。すなわち、シンプルな構成で第１部分の可撓性を第２部分の可撓性よりも高くすることができる。
【００３７】
第８発明に係る空気調和機の室内機では、開閉パネルの第１部分は、エラストマーにより形成される。このため、ぬくもり感、ソフト感等のエラストマーの有する質感から生まれる意匠価値を提供することができる。
【００３８】
第９発明に係る空気調和機の室内機では、開閉パネルの第１部分は、布状部材により形成される。このため、ぬくもり感、ソフト感等の布状部材の有する質感から生まれる意匠価値を提供することができる。
【００３９】
第１０発明に係る空気調和機の室内機では、開閉パネルの第１部分は、第１状態における縦断面視形状の湾曲度合いが第２状態の縦断面視形状の湾曲度合いと異なるため、側面視において湾曲する開閉パネルに適した環境に適応することができる。
【００４０】
第１１発明に係る空気調和機の室内機では、開閉パネルの第１部分は、第１状態における横断面視形状の湾曲度合いが第２状態の横断面視形状の湾曲度合いと異なるため、平面視において湾曲する開閉パネルに適した環境に適応することができる。
【発明を実施するための最良の形態】
【００４１】
＜第１実施形態＞
〔空気調和機の全体構成〕
図１を参照して、本発明の第１実施形態に係る空気調和機１の構成および冷媒回路の概略を説明する。
【００４２】
この空気調和機１は、室内の壁面等に取り付けられる室内機２ａと、室外に設置される室外機３とを備えている。
【００４３】
この空気調和機１の冷媒回路は、主として室内熱交換器２０、アキュムレータ３１、圧縮機３２、四路切換弁３３、室外熱交換器３０および電動膨張弁３４を備える。
【００４４】
室内機２ａに設けられている室内熱交換器２０は、接触する空気との間で熱交換を行う。また、室内機２ａには、室内空気を吸い込んで室内熱交換器２０に通し熱交換が行われた後の空気を室内に排出するための室内ファン２１が設けられている。室内ファン２１は、室内機２ａ内に設けられる室内ファンモータ２２によって回転駆動される。室内機２ａの詳細な構成および動作については後述する。
【００４５】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００４６】
〔室内機の構成〕
図２〜図５を参照して、室内機２ａの構成を説明する。
【００４７】
室内機２ａは、室内の側壁に設けられる壁掛け型の室内機であり、ケーシング本体２３と正面パネル５０とを備える。
【００４８】
（ケーシング本体）
ケーシング本体２３は、正面視において幅方向に長い長方形の形状を有し、側面視において高さ方向に長い長方形の形状を有する。ケーシング本体２３は、幅Ｗ、高さＨ、奥行きＤを有する。ケーシング本体２３内には、上述した室内熱交換器２０、室内ファン２１、図示しない室内ファンモータ２２等が備えられている。図３に示すように、側面視において、室内ファン２１がケーシング本体２３の中央に配置され、逆Ｖ字型の形状を有する室内熱交換器２０が室内ファン２１の上半分および前方を囲むように配置されている。また、ケーシング本体２３には吸い込み口２５と吹き出し口２６とが設けられている。
【００４９】
吸い込み口２５は、室内ファン２１によって室内からケーシング本体２３内へと取り込まれる空気が通る開口であり、第１吸い込み口２７および第２吸い込み口２８から成る。第１吸い込み口２７は、正面視において幅方向に長い形状を有し、その長さはケーシング本体２３の幅Ｗよりも若干小さい。第１吸い込み口２７は、図３に示すように、ケーシング本体２３の正面に設けられ、室内熱交換器２０の正面側の面と対向している。第２吸い込み口２８は、ケーシング本体２３の幅方向に長い複数のスリットとして設けられており、ケーシング本体２３の天面に設けられている。
【００５０】
吹き出し口２６は、室内ファン２１によって室内熱交換器２０を通り室内へと吹き出される空気が通る開口である。吹き出し口２６は、図４に示すように幅方向に長い形状を有し、その長さはケーシング本体２３の幅Ｗよりも若干小さい。また、吹き出し口２６はケーシング本体２３の下部近傍であって、ケーシング本体２３の正面に設けられている。
【００５１】
また、吹き出し口２６近傍には水平フラップ２９が設けられている。水平フラップ２９は、室内機２ａの幅方向に長い形状を有する板状の部材であり、吹き出し口２６から吹き出される空気を案内する。水平フラップ２９は、室内機２ａの幅方向に平行な回転軸Ｒ１を有しており、図３に示す状態から図５に示す状態へと回転軸Ｒ１を中心に回転することにより、空気の案内方向を変更する。
【００５２】
（正面パネル）
正面パネル５０は、１枚のパネル部材から成り、正面視におけるケーシング本体２３の幅Ｗと略同じ幅と、ケーシング本体２３の高さＨと略同じ高さとを有する。また、正面パネル５０は、運転停止時において、略平坦な面を形成し、正面視において吹き出し口２６および第１吸い込み口２７を覆う。また、正面パネル５０は、移動機構１００により支持されており、運転時において吹き出し口２６および第１吸い込み口２７を開く。
【００５３】
正面パネル５０は、上方から下方に順に並ぶ上部５１、中部５２および下部５３を有する。上部５１と中部５２との境界を境界線（二点鎖線）５４で、中部５２と下部５３との境界を境界線（二点鎖線）５５で示す。中部５２は、正面パネル５０が開いた状態において湾曲する部分であり、上部５１および下部５３は、正面パネル５０が開いた状態においても殆ど湾曲しない部分である。正面パネル５０は、エラストマーにより形成され、ぬくもり感、ソフト感といった質感を演出することができる。また、上部５１、下部５３はそれぞれ、厚さｔ１、厚さｔ３を有し、中部５２は、厚さｔ１および厚さｔ３のいずれよりも薄い厚さｔ２を有する。従って、中部５２は、上部５１および下部５３のいずれよりも可撓性が高くなっている。なお、図２〜図５において、上部５１、中部５２および下部５３が境界線５４および５５により区別されて図示されているが、上部５１、中部５２および下部５３は、同じ材料により一体形成されており、正面視においてそれらの境界を区別することはできない。すなわち、上部５１と中部５２との間および中部５２と下部５３との間に継目は現れない。
【００５４】
移動機構１００は、正面パネル５０の上部５１に固定されたロッド１０１、正面パネル５０の下部５３に固定された図示しない部材、図示しないモーターおよびギア等から構成される。移動機構１００は、図２および図４において波線で示されるが、実際には、正面視において正面パネル５０に隠れているため見えない。この移動機構１００は、正面パネル５０の上部５１を前後に移動させるとともに、その移動にリンクさせて正面パネル５０の下部５３を上下に移動させる。
【００５５】
〔室内機の動作〕
次に、空気調和機１の室内機２ａが空調運転を行う場合の動作について説明する。
【００５６】
室内機２ａが停止している場合、正面パネル５０は、図２および図３のように、吹き出し口２６および第１吸い込み口２７を閉じた状態となっている。このときには、中部５２は、湾曲していない静止した状態にある。
【００５７】
室内機２ａが運転を行う場合、正面パネル５０が移動し、吹き出し口２６および第１吸い込み口２７が開く。これにより、室内機２ａへ取り込まれる空気の風量が確保されると共に、空気の吹き出しが行われる。この場合、図５に示すように、正面パネル５０のうち下部５３が移動機構１００によって上方へと移動する。これにより、吹き出し口２６が開く。また、この下部５３の移動にリンクして、正面パネル５０のうち上部５１が移動機構１００によって前方へ距離ｄ１だけ平行に押し出される。これにより、第１吸い込み口２７が開く。このとき、中部５２の可撓性が上部５１および下部５３の可撓性よりも高いため、中部５２が側面視においてＳ字形に湾曲する。すなわち、室内機２ａが運転を行っているときに、中部５２は、Ｓ字状に湾曲して静止した状態となる。
【００５８】
正面パネル５０が移動して吹き出し口２６および第１吸い込み口２７が開いた後、水平フラップ２９が、設定された運転モードに対応した吹き出し角度となるように回転移動する。
【００５９】
運転時には、以上のように室内機２ａの正面パネル５０が開く。
【００６０】
室内機２ａが運転を停止する場合、正面パネル５０が移動し、室内機２ａは、吹き出し口２６と第１吸い込み口２７とが閉じた状態に戻る。この場合、正面パネル５０のうち上部５１が移動機構１００によって後方へ距離ｄ１だけ平行に押し戻される。これにより、吹き出し口２６が閉じる。また、この上部５１の移動にリンクして、正面パネル５０のうち下部５３が移動機構１００によって下方へと移動する。これにより、吹き出し口２６が閉じる。このとき、運転時にＳ字に湾曲していた中部５２は、略平坦な面に戻る。
【００６１】
運転停止時には、以上のように室内機２ａの正面パネル５０が閉じる。
【００６２】
〔特徴〕
（１）
この空気調和機１の室内機２ａでは、運転停止時において、正面パネル５０が室内機２ａの正面全体を覆う。そして、正面パネル５０は、略平坦な面を形成する。このため、室内機２ａの運転停止時には、正面視において居住者等の視野には略平坦な正面パネル５０のみが現れる。さらに、正面パネル５０が１枚のパネル部材で構成されており、正面視において継目は現れない。このため、この空気調和機１の室内機２ａでは、室内機２ａ単体の正面視における高い美観を確保できるとともに、正面視における室内機２ａの運転停止時の外観と室内の壁面とが調和し、室内の美観が向上する。
【００６３】
（２）
また、従来の室内機には、運転時において、正面パネル５０が複数のパネルに分割され、分割された複数のパネルが独立に移動することにより継目が生じるものがあった。これに対し、空気調和機１の室内機２ａでは、運転時において、正面パネル５０が湾曲し、第１吸い込み口２７および吹き出し口２６を開閉する。すなわち、この空気調和機１の室内機２ａでは、運転時において、継目が現れない。従って、居住者等の視野に、余分な継目に代わって湾曲による滑らかな陰影を写すことができる。このため、この空気調和機１の室内機２ａでは、運転時において美感が向上する。
【００６４】
（３）
この空気調和機１の室内機２ａでは、正面パネル５０にエラストマーが使用される。従って、室内機２ａの正面視において、ぬくもり感、ソフト感等のエラストマーの有する質感から生まれる意匠価値を提供することが可能になっている。
【００６５】
（４）
この空気調和機１の室内機２ａでは、正面パネル５０の中部５２の可撓性は、上部５１および下部５３の可撓性よりも高い。従って、運転時に、下部５３を上方に、上部５１を前方に移動するだけで、中部５２は自然に湾曲する。すなわち、運転時に正面パネル５０を湾曲させるためには、平行移動のような上部５１および下部５３の簡単な移動を行うだけでよい。これにより、正面パネル５０を湾曲させる移動機構１００をシンプルに設計することが可能になっている。
【００６６】
（５）
一般に、壁掛け型の室内機は、室内の壁面に配置されるため、正面部分が居住者等の視野に入り易い。また、室内機の正面部分の面積が大きいことが多い。このため、運転停止時および運転時に正面視における室内の美観が向上する本発明が特に有効である。
【００６７】
（６）
この空気調和機１の室内機２ａでは、運転時において正面パネル５０の上部５１および下部５３が移動することによって、吹き出し口２６および第１吸い込み口２７が開く。このため、室内機２ａへの空気の吸い込みと、室内機２ａからの空気の吹き出しとを十分に行うことが可能になっている。
【００６８】
また、吹き出し口２６と第１吸い込み口２７とが開く際には、正面パネル５０の下部５３が上方に少し移動し、上部５１が前方に少し移動すればよい。このため、運転時における室内機２ａの厚み（図５参照）の増大寸法（距離ｄ１）が小さい。このため、この空気調和機１の室内機２ａでは、運転時の室内機２ａをコンパクトに構成することが可能になっている。
【００６９】
〔変形例〕
第１実施形態の変形例として、正面パネル５０は、運転時において中部５２の湾曲の形状がＵ字形となるように構成されていてもよい。この場合、正面パネル５０は、図６および図７のように湾曲する。
【００７０】
また、第１実施形態の別の変形例として、正面パネル５０が複数のパネルから構成されてもよい。ただし、正面パネル５０を構成するパネルの数が少ないほど正面パネル５０に現れる継目が少なくなるため、正面パネル５０を構成するパネルの数は少ない方が望ましい。また、正面パネル５０を構成する複数のパネルは高さ方向に並んで配置されることが望ましい。これにより、正面視において高さ方向に延びる継目が現れず、一般的に室内の美観が向上する。
【００７１】
＜第２実施形態＞
図８〜図１１を参照して、本発明の第２実施形態に係る空気調和機１の室内機２ｂを説明する。
【００７２】
正面パネル６０は、第１パネル７０および第２パネル８０から成る。第１パネル７０は、第１吸い込み口２７を開閉し、第２パネル８０は、吹き出し口２６を開閉する。第１パネル７０は、正面視におけるケーシング本体２３の幅Ｗと略同じ幅を有し、第２パネル８０は、正面視におけるケーシング本体２３の幅Ｗと略同じ幅を有し、さらに、第１パネル７０の高さＨ１と第２パネル８０の高さＨ２との和が、ケーシング本体２３の高さＨと略同じ高さを有する。
【００７３】
第１パネル７０は、図示しない移動機構１００により支持されており、第１吸い込み口２７を開閉する。第１パネル７０は、１枚のパネル部材から成り、運転停止時において、略平坦な面を形成する。第１パネル７０は、上方から下方に順に並ぶ上部７１、中部７２および下部７３を有する。上部７１と中部７２との境界を境界線（二点鎖線）７４で、中部７２と下部７３との境界を境界線（二点鎖線）７５で示す。中部７２は、第１パネル７０が開いた状態において湾曲する部分であり、上部７１および下部７３は、第１パネル７０が開いた状態においても殆ど湾曲しない部分である。第１パネル７０は、エラストマーにより形成され、ぬくもり感、ソフト感といった質感を演出することができる。また、上部７１、下部７３はそれぞれ、厚さｔ１、厚さｔ３を有し、中部７２は、厚さｔ１および厚さｔ３のいずれよりも薄い厚さｔ２を有する。従って、中部７２は、上部７１および下部７３のいずれよりも可撓性が高くなっている。
【００７４】
第２パネル８０は、図示しない移動機構１００により支持されており、吹き出し口２６を開閉する。第２パネル８０は、１枚のパネル部材から成る。第２パネル８０は、第１パネル７０と同様にエラストマーから形成される。従って、正面視において室内機２ｂの印象が統一されることにより、室内の美観が向上する。
【００７５】
次に、運転時の室内機２ｂが空調運転を行う場合の動作について説明する。
【００７６】
室内機２ｂが停止している場合、第１パネル７０および第２パネル８０は、図８および図９のように吹き出し口２６および第１吸い込み口２７が閉じた状態となっている。このときには、中部７２は、湾曲していない静止した状態にある。
【００７７】
室内機２ｂが運転を行う場合、第１パネル７０および第２パネル８０が移動し、吹き出し口２６および第１吸い込み口２７が開く。これにより、室内機２ｂへ取り込まれる空気の風量が確保されると共に、空気の吹き出しが行われる。この場合、図１１に示すように、第１パネル７０のうち下部７３が図示しない移動機構１００により上方へと移動し、この下部７３の移動にリンクして、第１パネル７０のうち上部７１が図示しない移動機構１００によって前方へ距離ｄ１だけ平行に押し出される。これにより、第１吸い込み口２７が開く。このとき、中部７２の可撓性が上部７１および下部７３の可撓性よりも高いため、中部７２が側面視においてＳ字形に湾曲する。すなわち、室内機２ｂが運転を行っているときに、中部７２は、Ｓ字状に湾曲して静止した状態となる。この第１パネル７０の移動にリンクして、第２パネル８０は、設定された運転モードに対応した吹き出し角度となるように回転移動する。これにより、吹き出し口２６が開く。
【００７８】
室内機２ｂが運転を停止する場合、第１パネル７０および第２パネル８０が移動し、室内機２ｂは、吹き出し口２６および第１吸い込み口２７が閉じた状態に戻る。この場合、第１パネル７０のうちの上部７１が図示しない移動機構１００によって後方へ距離ｄ１だけ押し戻される。また、この上部７１の移動にリンクして、第１パネル７０のうちの下部７３が図示しない移動機構１００によって下方へと移動する。このとき、運転時にＳ字に湾曲していた中部７２は、略平坦な面に戻る。これにより、第１吸い込み口２７が閉じられる。さらに、この第１パネル７０の移動にリンクして、第２パネル８０が回転移動し、吹き出し口２６が閉じられる。
【００７９】
他の構成および動作については第１実施形態に係る室内機２ａと同様である。
【００８０】
〔特徴〕
この空気調和機１の室内機２ｂでは、第１吸い込み口２７を開閉させる第１パネル７０と、吹き出し口２６を開閉させる第２パネル８０とが独立に移動する。このため、第１吸い込み口２７および吹き出し口２６の開閉の状態を独立させることが可能である。
【００８１】
〔変形例〕
第２実施形態の変形例として、正面パネル６０は、第１パネル７０および第２パネル８０以外のさらなるパネルを有するように構成されてもよい。ただし、正面パネル６０を構成するパネルの数が少ないほど正面パネル６０に現れる継目が少なくなるため、正面パネル６０を構成するパネルの数は少ない方が望ましい。また、正面パネル６０を構成する複数のパネルは高さ方向に並んで配置されることが望ましい。これにより、正面視において高さ方向に延びる継目が現れず、室内の美観が向上する。
【００８２】
また、第２実施形態の別の変形例として、第２パネル８０は、第１パネル７０と異なる材料により形成されてもよい。
【００８３】
＜第３実施形態＞
図１２〜図１５を参照して、本発明の第３実施形態に係る空気調和機１の室内機２ｃを説明する。
【００８４】
正面パネル９０は、１枚のパネル部材から成り、正面視におけるケーシング本体２３の幅Ｗと略同じ幅と、ケーシング本体２３の高さＨと略同じ高さとを有する。ケーシング本体２３に設けられた第１吸い込み口２７および吹き出し口２６は、図１２において波線で示されるが、実際には、正面視において正面パネル９０に隠れているため見えない。また、ケーシング本体２３に設けられた第１吸い込み口２７および吹き出し口２６は、ほぼ同じ幅Ｗ１を有する。また、正面パネル９０は、運転停止時において、略平坦な面を形成し、正面視において吹き出し口２６および第１吸い込み口２７を覆う。また、正面パネル９０は、図示しない移動機構１００により支持されており、運転時において吹き出し口２６および第１吸い込み口２７を開く。
【００８５】
正面パネル９０は、左から右に順に並ぶ最左部９１、左部９２、中部９３、右部９４および最右部９５を有する。最左部９１と左部９２との境界を境界線（二点鎖線）９６で、左部９２と中部９３との境界を境界線（二点鎖線）９７で、中部９３と右部９４との境界を境界線（二点鎖線）９８で、右部９４と最右部９５との境界を境界線（二点鎖線）９９で示す。中部９３は、第１吸い込み口２７および吹き出し口２６の幅Ｗ１と略同じ幅を有し、運転停止時において第１吸い込み口２７および吹き出し口２６を覆う。図１５を参照して、左部９２および右部９４は、正面パネル９０が開いた状態において湾曲する部分であり、最左部９１、中部９３および最右部９５は、正面パネル９０が開いた状態においても殆ど湾曲しない部分である。正面パネル９０は、エラストマーにより形成され、ぬくもり感、ソフト感といった質感を演出することができる。また、最左部９１、中部９３、最右部９５はそれぞれ、厚さｔ１、厚さｔ３、厚さｔ５を有し、左部９２、右部９４はそれぞれ、厚さｔ１、厚さｔ３および厚さｔ５のいずれよりも薄い厚さｔ２、厚さｔ４を有する。従って、左部９２および右部９４は、最左部９１、中部９３および最右部９５のいずれよりも可撓性が高くなっている。
【００８６】
次に、空気調和機１の室内機２ｃが空調運転を行う場合の動作について説明する。
【００８７】
室内機２ｃが停止している場合、正面パネル９０は、図１２および図１３のように吹き出し口２６および第１吸い込み口２７を閉じた状態となっている。このときには、左部９２および右部９４は、湾曲していない静止した状態にある。
【００８８】
室内機２ｃが運転を行う場合、正面パネル９０が移動し、吹き出し口２６および第１吸い込み口２７が開く。これにより、室内機２ｃへ取り込まれる空気の風量が確保されると共に、空気の吹き出しが行われる。この場合、正面パネル９０の最左部９１と左部９２との境界線９６が第１吸い込み口２７または吹き出し口２６の左の境界線に近づくように、最左部９１が右に平行移動する。一方、正面パネル９０の右部９４と最右部９５との境界線９９が第１吸い込み口２７および吹き出し口２６の右の境界線に近づくように、最右部９５が左に平行移動する。この最左部９１および最右部９５の移動に伴い、中部９３が前方に距離ｄ１だけ平行移動する。これにより、第１吸い込み口２７および吹き出し口２６が開く。このとき、左部９２および右部９４の可撓性が最左部９１、中部９３および最右部９５の可撓性よりも高いため、左部９２および右部９４が平面視においてＳ字形に湾曲する。すなわち、室内機２ｃが運転を行っているときに、左部９２および右部９４は、Ｓ字状に湾曲して静止した状態となる。
【００８９】
以上のように、室内機２ｃの運転が行われる。
【００９０】
室内機２ｃが運転を停止する場合、正面パネル９０が移動し、図１２および図１３のように、吹き出し口２６と第１吸い込み口２７とが閉じた状態に戻る。この場合、正面パネル９０の最左部９１と左部９２との境界線９６が第１吸い込み口２７または吹き出し口２６の左の境界線から離れるように、最左部９１が左に平行移動する。さらに、正面パネル９０の右部９４と最右部９５との境界線９９が第１吸い込み口２７および吹き出し口２６の右の境界線から離れるように、最右部９５が右に平行移動する。この最左部９１および最右部９５の移動に伴い、中部９３が後方に距離ｄ１だけ平行移動する。これにより、吹き出し口２６および第１吸い込み口２７が閉じる。
【００９１】
他の構成および動作については第１実施形態に係る室内機２ａと同様である。
【００９２】
〔特徴〕
この空気調和機１の室内機２ｃでは、正面パネル９０は、運転時において平面視において湾曲する。すなわち、この空気調和機１の室内機２ｃでは、正面パネル９０は、平面視において湾曲する正面パネルに適した環境に適応することができる。
【００９３】
〔変形例〕
第３実施形態の変形例として、正面パネル９０は、複数のパネルから構成されてもよい。ただし、正面パネル９０を構成するパネルの数が少ないほど正面パネル９０に現れる継目が少なくなるため、正面パネル９０を構成するパネルの数は少ない方が望ましい。また、正面パネル９０を構成する複数のパネルは幅方向に並んで配置されることが望ましい。これにより、正面視において高さ方向に延びる継目が低減し、室内の美観が向上する。
＜その他の実施形態＞
（Ａ）
第１、第２および第３実施形態では、正面パネル５０，６０，９０にエラストマーが用いられているが、正面パネル５０，６０，９０に布状部材を用いることによってぬくもり感、ソフト感といった質感を演出してもよい。また、クールな印象を与えたい場合には、正面パネル５０，６０，９０に金属を用いてもよい。正面パネル５０，６０，９０は、正面パネル５０，６０，９０の開いた状態において湾曲する部分５２，７２，９２，９４が適切に湾曲することができる任意の材料により形成することができる。
（Ｂ）
正面パネル５０，６０，９０の開いた状態において湾曲する部分５２，７２，９２，９４と開いた状態において殆ど湾曲しない部分５１，５３，７１，７３，９１，９３，９５とに異なる材料を使用することにより、開いた状態において湾曲する部分５２，７２，９２，９４と開いた状態においても殆ど湾曲しない部分５１，５３，７１，７３，９１，９３，９５とに可撓性の違いを設けてもよい。
（Ｃ）
運転停止時においてケーシング本体２３の正面および正面パネル５０，６０，９０が略平坦な面を形成せず、図１６〜図１８に示すように緩やかに湾曲した形状であってもよい。
【産業上の利用可能性】
【００９４】
本発明は、室内の美観を損なう恐れを従来より低減することができるという効果を有し、空気調和機の室内機として有用である。
【図面の簡単な説明】
【００９５】
【図１】第１実施形態に係る空気調和機の構成および冷媒回路の構成を表す図。
【図２】第１実施形態に係る室内機の運転停止時の正面図。
【図３】図２のIII-III断面図。
【図４】第１実施形態に係る室内機の運転時の正面図。
【図５】図４のV-V断面図。
【図６】第１実施形態に係る室内機の変形例の運転停止時の縦断面図。
【図７】第１実施形態に係る室内機の変形例の運転時の縦断面図。
【図８】第２実施形態に係る室内機の運転停止時の正面図。
【図９】図８のIX-IX断面図。
【図１０】第２実施形態に係る室内機の運転時の正面図。
【図１１】図１０のXI-XI断面図。
【図１２】第３実施形態に係る正面パネルの運転停止時の正面図。
【図１３】図１２のXIII-XIII断面図。
【図１４】第３実施形態に係る正面パネルの運転時の正面図。
【図１５】図１４のXV-XV断面図。
【図１６】他の実施形態に係る室内機の運転停止時の縦断面図。
【図１７】他の実施形態に係る室内機の運転停止時の縦断面図。
【図１８】他の実施形態に係る正面パネルの運転停止時の横断面図。
【図１９】従来の空気調和機の室内機の正面図。
【符号の説明】
【００９６】
２ａ，２ｂ，２ｃ                空気調和機の室内機
２３                            ケーシング
２６                            吹き出し口
２７                            第１吸い込み口
５０，６０，９０                正面パネル
５１                            上部（第２部分）
５２                            中部（第１部分）
５３                            下部（第２部分）
７１                            上部（第２部分）
７２                            中部（第１部分）
７３                            下部（第２部分）
９１                            最左部（第２部分）
９２                            左部（第１部分）
９３                            中部（第２部分）
９４                            右部（第１部分）
９５                            最右部（第２部分）